(57)【要約】【課題】部品数の増加を最小限に抑えつつ、マニュアルで操作することができる絞り装置を備えた監視カメラを提供する。【解決手段】監視カメラ１００は、カメラボディ１０２と、撮像レンズ１０４と、絞り装置２００とを備える。絞り装置２００は、上羽根２１０と、下羽根２２０と、上羽根２１０および下羽根２２０を直線移動可能なように支持するための絞りユニット基板２３０と、上羽根２１０および下羽根２２０を直線移動させるためのガルバノメータ２４０と、上羽根２１０および下羽根２２０を操作するためのマニュアル操作部材２５０とを備える。ユーザは手で絞り装置２００のマニュアル操作部材２５０を回転させて、上羽根２１０を上方に向かって直線移動させ、同時に、下羽根２２０を下方に向かって直線移動させることによって、開放絞り値を設定することができる。【選択図】      図１
2005024836.tif 000002
【特許請求の範囲】
【請求項１】
オートアイリス装置を有する監視カメラにおいて、
被写体からの光束を結像させるための撮像レンズと、
前記撮像レンズを通る被写体からの光束を記録するためのカメラボディと、
前記撮像レンズを通る被写体からの光束の通過光量を調整するための絞り装置とを備え、
該絞り装置は、
被写体からの光束の通過光量を調整するための第１絞り開口部を有する第１絞り羽根と、
被写体からの光束の通過光量を調整するための第２絞り開口部を有する第２絞り羽根と、
前記第１絞り羽根および前記第２絞り羽根を直線移動可能なように支持するための支持部材と、
前記第１絞り羽根を第１の方向に直線移動させ、かつ、前記第２絞り羽根を前記第１の方向と異なる第２の方向に直線移動させるためのアクチュエータと、
前記第１絞り羽根を第１の方向に直線移動させ、かつ、前記第２絞り羽根を前記第１の方向と異なる第２の方向に直線移動させるように回転することができるマニュアル操作部材と、
を備えることを特徴とする監視カメラ。
【請求項２】
前記第１絞り羽根を第１の方向に直線移動させ、かつ、前記第２絞り羽根を前記第１の方向と異なる第２の方向に直線移動させるためのメータレバーが前記アクチュエータに固定されており、前記マニュアル操作部材は、前記メータレバーを回転させるように構成されることを特徴とする、請求項１に記載の監視カメラ。
【請求項３】
前記マニュアル操作部材には、前記メータレバーの作動ピンを逃げるために扇形に形成された作動ピン逃げ部が設けられることを特徴とする、請求項２に記載の監視カメラ。
【請求項４】
前記マニュアル操作部材には、前記マニュアル操作部材のオープン端に向かう回転を止めるための第１ストッパ手段と、前記マニュアル操作部材のクローズ端に向かう回転を止めるための第２ストッパ手段とが設けられ、前記絞り装置には、前記マニュアル操作部材の前記第１ストッパ手段および前記第２ストッパ手段と連動することにより前記マニュアル操作部材の回転を止めるための回転止め手段が設けられることを特徴とする、請求項１〜３のいずれか１項に記載の監視カメラ。
【請求項５】
前記マニュアル操作部材は、前記支持部材に嵌め込み式で取り付けられることを特徴とする、請求項１〜４のいずれか１項に記載の監視カメラ。
【発明の詳細な説明】
【０００１】
【発明の属する技術分野】
本発明は、オートアイリス装置（自動絞り装置）を有する監視カメラに関する。特に、本発明は、マニュアル操作可能なように構成された小型の絞り装置を有する監視カメラに関する。
【０００２】
【従来の技術】
従来の監視カメラ用レンズには、一般に、ガルバノタイプと呼ばれる２枚の絞り羽根を有する絞り装置が用いられている。このような絞り装置においては、各々の絞り羽根にＮＤフィルタが貼り付けられている。ＮＤフィルタが貼り付けた２枚羽根タイプの絞り装置は、例えば、特許文献１に記載されている。
また、監視の分野では、監視カメラにより昼夜を通して被写体の撮影が行われるので、しばしば、高感度監視カメラが用いられている。高感度カメラは、昼夜における被写体の光量差に対応するために、多くの場合、最小絞り値がＦ／３６０にも及ぶようなレンズが用いられている。このような最小絞り値がＦ／３６０にも及ぶようなレンズは、現在、監視カメラ製造会社やレンズ製造会社などから市販されており、商業的に入手可能である。
【０００３】
このような高感度監視カメラが使用されるようになると、監視カメラを昼間に設置したとき、監視カメラの感度や周囲の明るさなどにより、レンズをＦ／３０〜Ｆ／５０に絞り込んだ状態で、或いは、レンズをＦ／５０以上に絞り込んだ状態で、監視カメラのピントを合わせる必要が生じている。このように、レンズをＦ／３０〜Ｆ／５０に絞り込んだ状態、或いは、Ｆ／５０以上に絞り込んだ状態では、被写体に対する焦点深度が深くなっている。したがって、このような状態でピントを合わせたとしても、正確なピント位置を検出することができず、そのために正確にピントを合わせることができない場合が多かった。さらに、被写体の周囲が暗くなるにつれて、絞りを開く必要が生じることから、焦点深度が浅くなり、被写体のピントがずれるという事態が生じていた。このため、高感度監視カメラを設置した者は、市販のＮＤフィルタを監視カメラのレンズの前面に取り付けて、レンズの絞りを開放値にセットし、或いは、レンズの絞りを開放値に近い値にセットしてからピントを合わせていた。このような高感度監視カメラのピント合わせに市販のＮＤフィルタを用いる方法は、セキュリティシステム会社などで、すでに実施されている。
【０００４】
また、近年、ほとんどのオートアイリス装置は、非通電時に撮像素子を保護するために、絞りがクローズ端になるようにマグネットやコイルばねにより絞り羽根を付勢する、いわゆるオートクローズ機構を備えている。このようなオートアイリス装置は、例えば、ＣＣＴＶカメラ用の自動絞りレンズとして、特許文献２に記載されている。
【０００５】
【特許文献１】
特開平８−４３８７８号公報（第３頁、図１）
【特許文献２】
特開２０００−１４７５９０号公報（第３〜４頁、図２）
【０００６】
【発明が解決しようとする課題】
しかしながら、近年、監視カメラが高感度化したことによって、昼間に監視カメラのピント合わせを行う場合、レンズがＦ／３０、或いは、Ｆ／３０以上に絞られている場合も多い。このような状態で、レンズの前面に市販のＮＤフィルタを１枚取り付け、レンズの絞りを数段開いただけでは、絞りの開放値にはほど遠い状態である。このような焦点深度が深くなっている状態でピントを合わせたとしても、監視カメラを設置した後、被写体の周囲が暗くなり、レンズの絞りが開放値に近づくにつれて、焦点深度が浅くなり、被写体のピントがずれるという課題が生じていた。
【０００７】
また、監視カメラにおいては、レンズは、交換可能なＣマウント、或いは、ＣＳマウントのような規格マウントになっている。ユーザは、監視カメラとレンズを別個のメーカーから購入するケースも多くみられる。このような場合、監視カメラの画面が真っ暗になる不具合が発生した場合、監視カメラのレンズの絞り装置をマニュアルで操作することができないので、この不具合がレンズのオートアイリス装置の故障によるものなのか、或いは、監視カメラ本体の故障によるものなのかがわきりにくいという課題が生じていた。このような事態が発生した場合、ユーザは、監視カメラ本体の修理を依頼すべきか、或いは、レンズの修理を依頼すべきかがわからないような状況が生じるおそれがあった。
【０００８】
【発明の目的】
本発明の目的は、部品数の増加を最小限に抑えつつ、マニュアルで操作することができるような絞り装置を備えた監視カメラを提供することにある。
本発明の他の目的は、監視カメラを設置した時、監視カメラのレンズの絞りをマニュアル操作により開放値にセットして、簡単且つ確実に被写体のピントを合わせることができるように構成した絞り装置を備えた監視カメラを提供することにある。
本発明のさらに他の目的は、レンズ本体の構造変化を伴うことなく、絞り装置の構成をわずかに変更するだけで、マニュアル専用の絞りユニットに変更することができる絞り装置を備えた監視カメラを提供することにある。
【０００９】
【課題を解決するための手段】
本発明は、オートアイリス装置を有する監視カメラにおいて、被写体からの光束を結像させるための撮像レンズと、撮像レンズを通る被写体からの光束を記録するためのカメラボディと、撮像レンズを通る被写体からの光束の通過光量を調整するための絞り装置とを備えるように構成した。本発明の監視カメラでは、前記絞り装置は、被写体からの光束の通過光量を調整するための第１絞り開口部を有する第１絞り羽根と、被写体からの光束の通過光量を調整するための第２絞り開口部を有する第２絞り羽根と、第１絞り羽根および第２絞り羽根を直線移動可能なように支持するための支持部材と、第１絞り羽根を第１の方向に直線移動させ、かつ、第２絞り羽根を前記第１の方向と異なる第２の方向に直線移動させるためのアクチュエータと、第１絞り羽根を第１の方向に直線移動させ、かつ、第２絞り羽根を前記第１の方向と異なる第２の方向に直線移動させるように回転することができるマニュアル操作部材とを備えることを特徴とする。本発明の実施形態では、前記支持部材は、絞りユニット基板で構成される。また、本発明の実施形態では、前記アクチュエータは、ガルバノメータで構成される。
本発明の監視カメラを用いると、ユーザは、監視カメラを設置するとき、レンズの前面に市販のＮＤフィルタを併用することにより、確実に絞り開放状態で被写体のピントを合わせることができる。
【００１０】
本発明の監視カメラでは、第１絞り羽根を第１の方向に直線移動させ、かつ、第２絞り羽根を前記第１の方向と異なる第２の方向に直線移動させるためのメータレバーがアクチュエータに固定されており、マニュアル操作部材は、メータレバーを回転させるように構成されるのが好ましい。この構成により、部品数の増加を最小限に抑えつつ、マニュアルで簡単に操作することができる絞り装置を備えた監視カメラを実現することができる。
本発明の監視カメラでは、マニュアル操作部材には、メータレバーの作動ピンを逃げるために扇形に形成された作動ピン逃げ部が設けられるのが好ましい。この構成により、部品数の増加を最小限に抑えつつ、マニュアルで簡単に操作することができる絞り装置を備えた監視カメラを実現することができる。
【００１１】
本発明の監視カメラでは、マニュアル操作部材には、マニュアル操作部材のオープン端に向かう回転を止めるための第１ストッパ手段と、マニュアル操作部材のクローズ端に向かう回転を止めるための第２ストッパ手段とが設けられ、絞り装置には、マニュアル操作部材の第１ストッパ手段および第２ストッパ手段と連動することによりマニュアル操作部材の回転を止めるための回転止め手段が設けられるのが好ましい。本発明の実施形態では、第１ストッパ手段、第２ストッパ手段は、マニュアル操作部材に設けられた第１ストッパ凹部、第２ストッパ凹部で構成し、回転止め手段は、支持部材を構成する絞りユニット基板に設けられたストッパ凸部で構成している。この構成により、所定の位置において、マニュアル操作部材の回転を止めることができる。
本発明の監視カメラでは、マニュアル操作部材は、支持部材に嵌め込み式で取り付けられるのが好ましい。この構成により、部品点数の増加を最小限に抑えつつ、マニュアルで操作することができる絞り装置を備えた監視カメラを実現することができる。
本発明で併用するＮＤフィルタは、可視光域から近赤外域までのＮＤ効果を持つのが望ましい。この構成により、ＮＤフィルタの挿入から、ＮＤフィルタの取り外し時の分光分布変化による色収差を最小限に抑えることができ、白黒カメラや、白黒とカラーの切換式カメラにおけるＩＲカットフィルタを挿入していない状態において、さらに確実にピントを合わせることができる。
【００１２】
【発明の効果】
本発明により、部品数の増加を最小限に抑えつつ、マニュアルで操作することができる絞り装置を備えた監視カメラを実現することができる。
また、本発明の監視カメラを用いると、監視カメラを設置した時、ユーザは監視カメラのレンズの絞りを開放値にセットして、簡単且つ確実に被写体のピントを合わせることができるので、容易に、設置後のピントずれ発生を防ぐことが可能になった。
【００１３】
また、本発明により、レンズ本体の構造変化を伴うことなく、絞り装置の構成をわずかに変更するだけで、マニュアル操作専用の絞りユニットに変更可能なオートアイリス装置を備えた監視カメラを実現することができる。すなわち、本発明により、絞り装置からガルバノメータ本体を削除するだけで、マニュアル操作専用の絞り装置を備えた監視カメラを実現することができる。
また、本発明の監視カメラを用いると、監視カメラが故障したとき、故障の原因がレンズの不具合であるのか、或いは、カメラ本体の不具合であるのかを簡単に判別することができる。
さらに、本発明の監視カメラを用いると、ガルバノメータが故障したときであっても、絞り装置をマニュアル操作することにより、カメラ本体の電子シャッターと併用することができ、監視カメラによる撮影を続けることが可能になる。
【００１４】
【発明の実施の形態】
以下に、本発明の実施の形態を図面に基づいて説明する。以下に説明する本発明の実施の形態は、直線移動する絞り羽根を含む絞り装置を備えた監視カメラである。
【００１５】
（１）第１の実施の形態
最初に、本発明の第１の実施の形態について説明する。
（１・１）監視カメラの構造
図１を参照すると、本発明の監視カメラ１００は、被写体からの光束による像を記録するためのカメラボディ１０２と、被写体からの光束を通すための撮像レンズ１０４とを備える。撮像レンズ１０４は、レンズマウント１０４ｍにより、カメラボディ１０２に対して着脱可能に取り付けられる。変形例として、撮像レンズ１０４をカメラボディ１０２に固定した構造であってもよい。撮像レンズ１０４は撮像レンズ光軸１０４ｘと、前群光学系１０６と、後群光学系１０８と、絞り装置２００とを有する。後群光学系１０８は、撮像レンズ光軸１０４ｘにそって移動可能なように構成されたフォーカスレンズ系を構成する。或いは、前群光学系１０６および後群光学系１０８が、いずれも移動可能なように構成され、フォーカスレンズ系を構成することもできる。
【００１６】
撮像レンズ１０４は鏡胴体２６２を含む。鏡胴体２６２は、第１筒部２６２ａと、第２筒部２６２ｂと、後群光学系１０８を支持するレンズ枠２６２ｃと、絞り装置導入部２６２ｄと、フォーカス操作環２６２ｆとを含む。フォーカス操作環２６２ｆを回転させることにより、後群光学系１０８を移動させることができるように構成される。或いは、フォーカス操作環２６２ｆを回転させることにより、前群光学系１０６及び後群光学系１０８を移動させることができるように構成することもできる。前群光学系１０６及び後群光学系１０８の支持構造は、例えば、特許文献１に記載されているような公知の構造を用いることができる。絞り装置２００は、撮像レンズ光軸１０４ｘに対して垂直に絞り装置導入部２６２ｄに挿入される。絞り装置２００の中心軸線と、鏡胴体２６２の中心軸線とが一致するように、絞り装置２００は鏡胴体２６２の中に配置される。
【００１７】
カメラボディ１０２には、撮像レンズ１０４により結像される被写体の画像を電気信号に変換するための固体撮像素子１３０と、固体撮像素子１３０から出力される被写体の画像に関する電気信号を処理するための電気信号処理部１３２と、電気信号処理部１３２により処理された被写体の画像に関する電気信号を記録する信号を出力するための画像記録信号発生部１３４と、監視カメラ１００を操作するためのスイッチ１３８と、監視カメラ１００の動作を制御するための動作制御部１４０などが設けられる。固体撮像素子１３０は、ＣＣＤなどで構成することができる。電気信号処理部１３２と、画像記録信号発生部１３４と、動作制御部１４０は、ＭＯＳ−ＩＣ、ＰＬＡ−ＩＣなどで構成することができる。
画像記録装置１５０がカメラボディ１０２と別個に設けられる。画像記録装置１５０は、例えば、ＶＴＲレコーダで構成される。画像記録装置１５０は接続コード１５２によってカメラボディ１０２と接続される。接続コード１５２は、画像記録装置１５０からカメラボディ１０２に電力を供給し、かつ、画像記録装置１５０から動作制御部１４０に対して、監視カメラ１００の動作を制御する信号を送ることができるように構成される。接続コード１５２は、カメラボディ１０２の画像記録信号発生部１３４が出力する被写体の画像に関する電気信号を画像記録装置１５０に送ることができるように構成される。
【００１８】
画像記録装置１５０には、カメラボディ１０２から送られる被写体の画像に関する電気信号を入力して、被写体の画像を記録する処理を行うための記録処理部１５４と、記録処理部１５４が動作することにより被写体の画像を記録するための記録媒体１５６が設けられる。記録媒体１５６は、ＶＴＲテープであってもよいし、ＲＡＭカード、フレキシブルディスク、光ディスク、光磁気ディスク、ＣＤ−Ｒ、ＣＤ−ＲＷ、ＤＶＤ−ＲＡＭ、ＤＶＤ−ＲＷなどで構成することもできる。画像記録装置１５０は、監視カメラ１００から送られる被写体の画像を表示するための画像表示部１６０と、画像記録装置１５０を操作するためのスイッチ１６２と、画像記録装置１５０を電源に接続するための電源コード１６４とを備える。画像記録装置１５０を動作させるための電源は、外部の交流電源を用いることもできるし、外部の電池を用いることもできるし、或いは、画像記録装置１５０内に配置された電池を用いてもよい。記録媒体は、カメラボディ１０２内に設けることもできる。もし、必要ならば、カメラボディ１０２に電池などの電源を配置することもできる。もし、必要ならば、被写体の画像を表示するためのカメラ表示部（図示せず）をカメラボディ１０２に設けても良い。
【００１９】
（１・２）絞り装置の構造
次に、本発明の監視カメラの実施の形態において、監視カメラ１００の絞り装置（すなわち、オートアイリス装置）の構成について説明する。図２から図４を参照すると、絞り装置２００は、第１絞り羽根すなわち上羽根２１０と、第２絞り羽根すなわち下羽根２２０と、上羽根２１０および下羽根２２０を直線移動可能なように支持するための支持部材すなわち絞りユニット基板２３０と、上羽根２１０および下羽根２２０を直線移動させるためのアクチュエータを構成するガルバノメータ２４０と、上羽根２１０および下羽根２２０を操作するためのマニュアル操作部材２５０とを備える。上羽根２１０および下羽根２２０は、絞りユニット基板２３０において、ガルバノメータ２４０を配置した側の反対側に配置される。
【００２０】
上羽根２１０は、最小絞り値の状態において、一番下方に位置し、開放絞り値の状態において、一番上方に位置するように絞りユニット基板２３０に対して支持される。これに対して、下羽根２２０は、最小絞り値の状態において、一番上方に位置し、開放絞り値の状態において、一番下方に位置するように絞りユニット基板２３０に対して支持される。すなわち、絞り値を最小絞り値から開放絞り値に向かって開くにつれて、上羽根２１０は上方に向かって直線移動し、下羽根２２０は下方に向かって直線移動するように構成される。
【００２１】
メータレバー２４２が、ガルバノメータ２４０の出力部（図示せず）に固定される。メータレバー２４２は、中心部２４２ａと、上羽根２１０を作動させるための作動上羽根作動アーム２４２ｂと、上羽根２１０を第１の方向に直線移動させるための上羽根作動ピン２４２ｃと、下羽根２２０を作動させるための下羽根作動アーム２４２ｄと、下羽根２２０前記第１の方向と異なる第２の方向に直線移動させるための下羽根作動ピン２４２ｅとを含む。ガルバノメータ２４０の出力部が一定の角度だけ回転することにより、上羽根作動ピン２４２ｃにより上羽根２１０を第１の方向に直線移動させ、かつ、下羽根作動ピン２４２ｅにより下羽根２２０を前記第１の方向と異なる第２の方向に直線移動させることができるように構成される。メータレバー２４２は、上羽根２１０および下羽根２２０を配置した側から見て時計回り方向に回転することにより、上羽根２１０を上方に向かって直線移動させ、同時に、下羽根２２０を下方に向かって直線移動させて、絞りを開放値に向かって作動させることができるように構成される。また、メータレバー２４２は、上羽根２１０および下羽根２２０を配置した側から見て反時計回り方向に回転することにより、上羽根２１０を下方に向かって直線移動させ、同時に、下羽根２２０を上方に向かって直線移動させて、絞りをクロ−ズする方向に向かって作動させることができるように構成される。
【００２２】
絞りユニット基板２３０は、被写体からの光束の通過させるための絞りユニット開口部２３２と、上羽根２１０および下羽根２２０を直線移動可能なように案内するための第１羽根ガイドピン２３３ａと、下羽根２２０を直線移動可能なように案内するための第２羽根ガイドピン２３３ｂと、上羽根２１０を直線移動可能なように案内するための第３羽根ガイドピン２３３ｃと、上羽根２１０および下羽根２２０を直線移動可能なように案内するための第４羽根ガイドピン２３３ｄと、ガルバノメータ２４０の下羽根作動ピン２４２ｅを貫通させるための第１円弧長孔２３４ａと、ガルバノメータ２４０の上羽根作動ピン２４２ｃを貫通させるための第２円弧長孔２３４ｂとを有する。絞りユニット開口部２３２の中心軸線２００ｘは、絞りユニット基板２３０を撮像レンズ１０４に取り付けたときに、撮像レンズ光軸１０４ｘと一致するように構成される。絞りユニット開口部２３２は、中心軸線２００ｘを中心とした円形部分を含むように形成されるのがよい。
【００２３】
上羽根２１０は、被写体からの光束の通過光量を調整するための第１絞り開口部すなわち上羽根開口部２１２と、上羽根作動ピン２４２ｃを受け入れるための上羽根連動穴２１３と、絞りユニット基板２３０の第１羽根ガイドピン２３３ａを受け入れて上羽根２１０を直線移動可能なように案内するための第１上羽根ガイド穴２１４ａと、第３羽根ガイドピン２３３ｃを受け入れて上羽根２１０を直線移動可能なように案内するための第２上羽根ガイド穴２１４ｃと、第４羽根ガイドピン２３３ｄを受け入れて上羽根２１０を直線移動可能なように案内するための第３上羽根ガイド穴２１４ｄとを含む。上羽根開口部２１２は、下方に位置し、かつ、円形に形成された下方部分２１２ａと、下方部分２１２ａの上方に位置し、かつ、下方部分２１２ａを構成する円の２つの接線により頂角がほぼ直角になるように形成された上方部分２１２ｂとを含む。
【００２４】
上羽根ＮＤフィルタ２１６が、上方部分２１２ｂをさえぎるように設けられる。上羽根ＮＤフィルタ２１６として、例えば、透過光量が１６％のＮＤ０．８から透過光量が３％のＮＤ１．５などを用いることができる。上羽根ＮＤフィルタ２１６は、透過光量が６％のＮＤ１．２であるのが好ましい。上羽根ＮＤフィルタ２１６の下側端面は、下方部分２１２ａを構成する円弧と、ほぼ同じ半径の円形に形成される。上羽根連動穴２１３は、中心軸線が水平方向に延びる長孔形状に形成される。第１上羽根ガイド穴２１４ａ、第２上羽根ガイド穴２１４ｃ、第３上羽根ガイド穴２１４ｄは、それぞれ、中心軸線が垂直方向に延びる長孔形状に形成される。上羽根連動穴２１３は、上羽根２１０を配置する方向から見て、上羽根開口部２１２の左側に配置される。
【００２５】
下羽根２２０は、被写体からの光束の通過光量を調整するための第２絞り開口部すなわち下羽根開口部２２２と、ガルバノメータ２４０の下羽根作動ピン２４２ｅを受け入れるための下羽根連動穴２２３と、第１羽根ガイドピン２３３ａを受け入れて下羽根２２０を直線移動可能なように案内するための第１下羽根ガイド穴２２４ａと、第２羽根ガイドピン２３３ｂを受け入れて下羽根２２０を直線移動可能なように案内するための第２下羽根ガイド穴２２４ｂと、第４羽根ガイドピン２３３ｄを受け入れて下羽根２２０を直線移動可能なように案内するための第３下羽根ガイド穴２２４ｄとを含む。下羽根開口部２２２は、上方に位置し、かつ、円形に形成された上方部分２２２ａと、上方部分２２２ａの下方に位置し、かつ、上方部分２２２ａを構成する円の２つの接線により頂角がほぼ直角になるように形成された下方部分２２２ｂとを含む。
【００２６】
下羽根ＮＤフィルタ２２６が、下方部分２２２ｂをさえぎるように設けられる。下羽根ＮＤフィルタ２２６として、例えば、透過光量が１６％のＮＤ０．８から透過光量が３％のＮＤ１．５などを用いることができる。下羽根ＮＤフィルタ２２６は、透過光量が６％のＮＤ１．２であるのが好ましい。下羽根ＮＤフィルタ２２６の上側端面は、上方部分２２２ａを構成する円弧と、ほぼ同じ半径の円形に形成される。下羽根連動穴２２３は、中心軸線が水平方向に延びる長孔形状に形成される。第１下羽根ガイド穴２２４ａ、第２下羽根ガイド穴２２４ｂ、第３下羽根ガイド穴２２４ｄは、それぞれ、中心軸線が垂直方向に延びる長孔形状に形成される。下羽根連動穴２２３は、下羽根２２０を配置する方向から見て、下羽根開口部２２２の右側に配置される。すなわち、下羽根連動穴２２３の位置は、下羽根２２０が配置されている方向から見て、下羽根開口部２２２の中心を基準として、上羽根連動穴２１３の位置の反対側になるように構成される。
【００２７】
図２から図５を参照すると、本発明の監視カメラ１００においては、監視カメラ１００を設置するときに、容易に監視カメラ１００の撮像レンズ１０４の絞り値を開放値にセットすることができるように、オートアイリス装置にマニュアル操作で撮像レンズ１０４の絞り値を設定することができるようにするための手段、すなわち、マニュアル操作部材２５０を設けている。このマニュアル操作部材２５０は、部品点数の増加を最小限に抑えるために、絞りユニット基板２３０に対して回転可能なように嵌め込み式で取り付けられる。
マニュアル操作部材２５０は、円板状の操作部材本体２５０ａと、操作部材本体２５０ａの表側の中心に軸心が位置する操作部材上軸２５０ｂと、操作部材本体２５０ａの裏側の中心に軸心が位置し、かつ、操作部材上軸２５０ｂの反対側に配置された操作部材下軸２５０ｃとを含む。絞りユニット基板２３０には、操作部材上軸２５０ｂを回転可能に支持するための上軸支持部２３０ｂと、操作部材下軸２５０ｃを回転可能に支持するための下軸支持部２３０ｃとが設けられる。この構成では、マニュアル操作部材２５０の操作部材上軸２５０ｂは、絞りユニット基板２３０の上軸支持部２３０ｂに対して回転可能なように嵌め込み式で取り付けられる。マニュアル操作部材２５０の操作部材下軸２５０ｃは、絞りユニット基板２３０の下軸支持部２３０ｃに対して回転可能なように嵌め込み式で取り付けられる。
【００２８】
図５を参照すると、マニュアル操作部材２５０の操作部材本体２５０ａの裏側には、メータレバー２４２の上羽根作動ピン２４２ｃを逃げるために扇形に形成された作動ピン逃げ部２５０ｄが設けられる。作動ピン逃げ部２５０ｄは、開角が１４５度の２つの側壁２５０ｊおよび２５０ｋと、底面２５０ｍとにより構成される。２つの側壁２５０ｊと２５０ｋとの間の角度は１４０度程度であるのが好ましい。
本発明の監視カメラにおいては、絞り装置２００はオートクローズ機構を有している。したがって、通常時には、ガルバノメータ２４０の作動により、図５に示すように、上羽根２１０は下方に移動し、下羽根２２０は上方に移動して、絞りはクローズ状態に設定されている。このような図５に示す状態からマニュアル操作部材２５０を時計回り方向（図５に「ＣＷＤ」で示す）に回転させると、側壁２５０ｋがメータレバー２４２の上羽根作動ピン２４２ｃを押すことにより、メータレバー２４２は反時計回り方向に回転して、絞りが開放値に向かって開くように、上羽根２１０および下羽根２２０を移動させることができるように構成される。また、図６に示す状態からマニュアル操作部材２５０を反時計回り方向（図６に「ＣＣＷＤ」で示す）に回転させると、側壁２５０ｊがメータレバー２４２の上羽根作動ピン２４２ｃを押すことにより、メータレバー２４２は時計回り方向に回転して、絞りがクロ−ズする方向に向かって、上羽根２１０および下羽根２２０を移動させることができるように構成される。
【００２９】
図５および図６を参照すると、マニュアル操作部材２５０の操作部材本体２５０ａの裏側には、マニュアル操作部材２５０のオープン端に向かう回転を止めるための第１ストッパ凹部２５０ｆと、マニュアル操作部材２５０のクローズ端に向かう回転を止めるための第２ストッパ凹部２５０ｇとが設けられる。図２を参照すると、絞りユニット基板２３０には、マニュアル操作部材２５０の第１ストッパ凹部２５０ｆ、第２ストッパ凹部２５０ｇに入ることによりマニュアル操作部材２５０の回転を止めるためのストッパ凸部２３０ｆが設けられる。この構成により、所定の位置において、マニュアル操作部材２５０の回転を止めることができる。
ストッパ凸部を所定の絞り値に対応するような位置に配置することにより、例えば、Ｆ／２、Ｆ２．８のような種々の絞り値に対応するような位置にクリック作動を生じさせることができるようなクリック機構を構成することができる。
【００３０】
上述した本発明の監視カメラの実施形態では、絞りユニット基板２３０にストッパ凸部２３０ｆを設け、かつ、マニュアル操作部材２５０に第１ストッパ凹部２５０ｆ、第２ストッパ凹部２５０ｇを設ける構成について説明したけれども、変形例として、マニュアル操作部材にストッパ凸部を設け、かつ、絞りユニット基板にストッパ凹部を設けるように構成してもよい。
上述した本発明の監視カメラの実施形態では、マニュアル操作部材２５０の操作部材上軸２５０ｂが上軸支持部２３０ｂに対して回転可能なように嵌め込み式で取り付けられ、マニュアル操作部材２５０の操作部材下軸２５０ｃが下軸支持部２３０ｃに対して回転可能なように嵌め込み式で取り付けられる構成について説明したけれども、変形例として、Ｃ型止め輪や、ビスなどを用いるように構成してもよい。
さらに、変形例として、マニュアル操作部材を、ボールペンのようなノック式に構成して、１回ノックすると絞りをオープン端に設定し、さらにノックすると絞りををクローズ端に設定するように構成してもよい。
【００３１】
さらに、変形例として、マニュアル操作部材の上軸および下軸の支持部を軽圧入構造として、前記支持部とマニュアル操作部材の上軸および下軸の摩擦力により所定の位置でマニュアル操作部材の回転を止めるように構成してもよい。
さらに、変形例として、マニュアル操作部材を、別個に設けたばね部材により付勢して、ばね部材とマニュアル操作部材の摩擦力により所定の位置でマニュアル操作部材の回転を止めるように構成してもよい。
【００３２】
上述した本発明の監視カメラの実施形態では、マニュアル操作部材２５０が円板状の操作部材本体２５０ａを有する構成について説明したけれども、変形例として、図７に示すように、マニュアル操作部材２７０は、円形の中心部２７０ａと、この中心部２７０ａから外方に真っ直ぐに延びる２つのアーム２７０ｂ、２７０ｃとを含むように構成してもよい。或いは、図８に示すように、マニュアル操作部材２７２は、円形の中心部２７２ａと、中心部２７２ａから外方に真っ直ぐに延びる１つのアーム２７２ｂと、中心部２７２ａから外方に湾曲して延びる他のアーム２７２ｃとを含むような形状であってもよい。或いは、マニュアル操作部材の形状は、メータレバー２４２を回転させることが可能な他の形状であってもよい。
【００３３】
上述した本発明の監視カメラの実施形態では、マニュアル操作部材２５０を絞りユニット基板２３０に取り付ける構成について説明したけれども、変形例として、図９に示すように、絞り装置とは別個の部品であるレンズ本体のカバーにマニュアル操作部材２５０を取り付けることもできる。この構成では、レンズ本体の鏡胴２８６には、第１カバー２８０と、第２カバー２８２とが設けられる。第２カバー２８２には、操作部材上軸２５０ｂを回転可能に支持するための上軸支持部２８２ｂが設けられる。この構成では、操作部材上軸２５０ｂは、第２カバー２８２の上軸支持部２８２ｂに対して回転可能なように嵌め込み式で取り付けられる。また、操作部材下軸２５０ｃは、絞りユニット基板２３０の下軸支持部２３０ｃに対して回転可能なように嵌め込み式で取り付けられる。
【００３４】
（１・３）絞り装置の組立
次に、本発明の監視カメラの実施形態において、絞り装置２００の組立について説明する。図２を参照すると、最初に、絞り装置２００において、上羽根２１０を絞りユニット基板２３０の表面の上に配置する。第１上羽根ガイド穴２１４ａは、絞りユニット基板２３０の第１羽根ガイドピン２３３ａを受け入れ、第２上羽根ガイド穴２１４ｃは、絞りユニット基板２３０の第３羽根ガイドピン２３３ｃを受け入れ、第３上羽根ガイド穴２１４ｄは、絞りユニット基板２３０の第４羽根ガイドピン２３３ｄを受け入れて、上羽根２１０を絞りユニット基板２３０に対して垂直方向に直線移動可能なように案内する。上羽根連動穴２１３は、メータレバー２４２の上羽根作動ピン２４２ｃを受け入れる。
【００３５】
次に、下羽根２２０を上羽根２１０の上に配置する。第１下羽根ガイド穴２２４ａは、絞りユニット基板２３０の第１羽根ガイドピン２３３ａを受け入れ、第２下羽根ガイド穴２２４ｂは、絞りユニット基板２３０の第２羽根ガイドピン２３３ｂを受け入れ、第３上羽根ガイド穴２２４ｄは、絞りユニット基板２３０の第４羽根ガイドピン２３３ｄを受け入れて、下羽根２２０を絞りユニット基板２３０に対して垂直方向に直線移動可能なように案内する。下羽根連動穴２２３は、メータレバー２４２の下羽根作動ピン２４２ｅを受け入れる。
次に、マニュアル操作部材２５０の操作部材上軸２５０ｂを絞りユニット基板２３０の上軸支持部２３０ｂに嵌め込み、マニュアル操作部材２５０の操作部材下軸２５０ｃを絞りユニット基板２３０の下軸支持部２３０ｃに嵌め込む。メータレバー２４２の上羽根作動ピン２４２ｃは、マニュアル操作部材２５０の作動ピン逃げ部２５０ｄに位置する。
【００３６】
絞り装置２００を組み立てた状態では、絞り値が開放の状態における上羽根開口部２１２の円形部分の中心は、絞り値が開放の状態における下羽根開口部２２２の円形部分と一致するように構成される。また、絞り装置２００を組み立てた状態では、絞りユニット基板２３０の絞りユニット開口部２３２の中心は、絞り値が開放の状態における上羽根開口部２１２の円形部分の中心と一致し、かつ、絞り値が開放の状態における下羽根開口部２２２の円形部分の中心と一致するように構成される。
図１を参照すると、鏡胴２６０は鏡胴体２６２を含む。鏡胴体２６２は、第１筒部２６２ａと、第２筒部２６２ｂと、第２筒部２６２ｂの下側に設けられた絞り装置導入部２６２ｄとを含む。絞り装置２００は、鏡胴体２６２の下方から絞り装置導入部２６２ｄに挿入される。或いは、鏡胴体２６２のセット方向を変更して、絞り装置２００は、鏡胴体２６２の上方から絞り装置導入部２６２ｄに挿入することもできる。絞り装置２００の絞りユニット基板２３０の絞りユニット開口部２３２の中心軸線２００ｘと、鏡胴体２６２の中心軸線とが一致するように、絞り装置２００は鏡胴体２６２の中に配置される。この状態で、固定ねじ（図示せず）を用いることによって、絞り装置２００は鏡胴体２６２に固定される。
次に、絞り装置２００を取り付けた鏡胴２６０は、撮像レンズ１０４に組み込まれる。組み立てた絞り装置２００を撮像レンズ１０４に組み込むとき、絞り装置２００の絞りユニット基板２３０の絞りユニット開口部２３２の中心軸線２００ｘは、レンズ系１０６の光軸１０４ｘ上に配置される。
【００３７】
（１・４）監視カメラの作用
次に、本発明の監視カメラの実施形態において、監視カメラ１００の作用について説明する。図１を参照すると、ユーザは、監視カメラを設置した時、ユーザは監視カメラのレンズの絞りを開放値にセットして、簡単且つ確実に被写体のピントを合わせることができる。すなわち、最初に、ユーザは、監視カメラを設置するとき、手で絞り装置２００のマニュアル操作部材２５０を回転させて、図６に示すように、開放絞り値を設定する。この状態では、焦点深度は最も浅くなっている。このとき、通常、画像記録装置１５０の画像表示部１６０は真っ白になっている。次に、ユーザは、監視カメラのレンズの前に、市販のＮＤフィルタをかざす。必要に応じて、ユーザは、ＮＤフィルタの使用枚数を１枚ずつ増やして、ＮＤフィルタが適切な濃度になり、画像表示部１６０に被写体が見えるようになるまで、監視カメラのレンズに入る被写体の画像の光量を減光する。ＮＤフィルタが適切な濃度になり、画像表示部１６０に被写体の画像が見えるようになると、ユーザは、画像記録装置１５０の画像表示部１６０を見て被写体の画像を確認しながら、監視カメラ１００のピントを合わせる。次に、ユーザは手で絞り装置２００のマニュアル操作部材２５０を回転させて、絞り装置２００を、図５に示すように、クローズ状態に設定する。
【００３８】
次に、ユーザは画像記録装置１５０を操作して、監視カメラ１００の動作を制御する信号を監視カメラ１００に送ることにより、ＣＣＤ素子１３０を作動させる。この状態で、ＣＣＤ素子１３０は被写体からの光束を受け入れる。次に、画像記録信号発生部１３４は、ＣＣＤ素子１３０が出力する信号に基づいて、被写体の画像に関する情報を記録するための信号を出力する。次に、動作制御部１４０は、画像記録信号発生部１３４が出力する信号に基づいて、被写体の画像に関する電気信号を画像記録装置１５０に送る。次に、画像記録装置１５０の記録処理部１５４は、カメラボディ１０２から送られる被写体の画像に関する電気信号を入力して、被写体の画像を記録する処理を行う。画像記録装置１５０の記録処理部１５４が動作することにより、被写体の画像は記録媒体１５６に記録される。必要に応じて、被写体の画像を記録媒体１５６に記録すると同時に、画像記録装置１５０の画像表示部１６０は、監視カメラ１００から送られる被写体の画像を表示することができる。この構成により、ユーザは監視カメラ１００と画像記録装置１５０を用いて被写体の状態を監視し、同時に、被写体の画像を記録することができる。
【００３９】
一般に、監視カメラは、容易にユーザの手が届かない高所や、内外装工事のときに多数個まとめて設置することが多く、設置後にピントがずれた場合、容易にピントを合わせ直すことができないことがある。したがって、監視カメラを設置したときに、確実にピントを合わせておき、設置後のピントずれを防ぐことが重要である。本発明は、このようなユーザの要求を満たすものである。
【図面の簡単な説明】
【図１】本発明の監視カメラの実施形態を示す概略断面図である。
【図２】本発明の監視カメラの実施形態において、絞り装置を示す分解斜視図である。
【図３】本発明の監視カメラの実施形態において、絞り装置を示す側面図である。
【図４】本発明の監視カメラの実施形態において、絞り装置を示す正面図である。
【図５】本発明の監視カメラの実施形態において、絞りが閉じている状態であるときの絞り装置を示す背面図である。
【図６】本発明の監視カメラの実施形態において、絞りが開いている状態であるときの絞り装置を示す背面図である。
【図７】本発明の監視カメラの実施形態において、マニュアル操作部材の他の例を示す側面図である。
【図８】本発明の監視カメラの実施形態において、マニュアル操作部材の更に他の例を示す側面図である。
【図９】本発明の監視カメラの実施形態において、マニュアル操作部材を本体カバーで固定した構造示す正面図である。
【符号の説明】
１００    監視カメラ
１０２    カメラボディ
１０４    撮像レンズ
１０６    前群光学系
１０８    後群光学系
１３０    ＣＣＤ素子
１５０    画像記録装置
１５６    記録媒体
２００    絞り装置
２１０    上羽根
２１６    上羽根ＮＤフィルタ
２２０    下羽根
２２６    下羽根ＮＤフィルタ
２３０    絞りユニット基板
２４０    ガルバノメータ
２４２    メータレバー
２５０    マニュアル操作部材
【図１】
2005024836.tif 000003
【図２】
2005024836.tif 000004
【図３】
2005024836.tif 000005
【図４】
2005024836.tif 000006
【図５】
2005024836.tif 000007
【図６】
2005024836.tif 000008
【図７】
2005024836.tif 000009
【図８】
2005024836.tif 000010
【図９】
2005024836.tif 000011